(57)【要約】      （修正有）【課題】圧着葉書において、仮接着後時間の経過と共に、仮接着の接着強度は上昇、剥離が困難となる欠点がある。時間の経過と共に接着強度の上昇を抑えた圧着葉書を提供する。【解決手段】本考案は、圧着葉書とするため、紙を展開した状態で印刷し、しかる後、紙を折り重ね、容易に剥離可能な如く仮接着した圧着葉書において、重ね合わせる面に、摩擦など機械的な力により剥離可能な層を局部的に設けたことを特徴とする。そして、剥離可能な層は、顔料、金属粉末、染料粉末などを含有し、パラフィン類が含まれており、紙にインクで印刷し、次に剥離可能な層乃至隠蔽層８を形成される。また仮接着した圧着葉書の最上層面１乃至（及び）最下層面７は他の層より小さくし剥離を容易にし、紙を折り重ねる枚数が２〜１０枚であることを特徴とする。【選択図】図７
0003107793.tif 000002
【実用新案登録請求の範囲】
【請求項１】
圧着葉書とするため、紙を展開した状態で印刷し、しかる後、紙を折り重ね、容易に剥離可能な如く仮接着した圧着葉書において、重ね合わせる面に、摩擦など機械的な力により剥離可能な層を局部的に設けたことを特徴とする圧着葉書。
【請求項２】
請求項１において、剥離可能な層に顔料、金属粉末、染料粉末などを含有させ、剥離可能な隠蔽層としたことを特徴とする圧着葉書。
【請求項３】
請求項１、２において、紙にインクで印刷し、次に剥離可能な層乃至隠蔽層を形成することを特徴とする圧着葉書。
【請求項４】
請求項１、２において、剥離可能な層に、パラフィン類が含まれていることを特徴とする圧着葉書。
【請求項５】
請求項１、２において、仮接着した圧着葉書の最上層面乃至（及び）最下層面は他の層より小さくし剥離を容易にしたことを特徴とする圧着葉書。
【請求項６】
請求項１、２において、紙を折り重ねる枚数が２〜１０枚であることを特徴とする圧着葉書。
【請求項７】
請求項１、２において、紙を折曲げる枚数が３枚であることを特徴とする圧着葉書。
【考案の詳細な説明】
【技術分野】
【０００１】
本考案は、圧着葉書に関し、更に詳しくは、圧着葉書の剥離性の経時変化を減少させた圧着葉書に関する。
【背景技術】
【０００２】
従来、個人あての請求書、督促状、試験の合否通知などに隠蔽式葉書が広く採用されている。例えば、隠蔽したい情報を印刷後、両面に接着性を有するフィルムを挿入し、折り重ねて圧着し、表面に住所・氏名などを印刷し隠蔽葉書とすることが公知である（特許文献１）。また重ね合わせて構成する隠蔽葉書において、ドットインパクトプリンタで印刷した秘密情報の文字が剥離の際、文字の乱れが生じたり移行したりするのを防止するため、印刷層を設け、その上にドットインパクトプリンタで印刷する方法も開示されている（特許文献２）。また、隠蔽したデータを内蔵する往復葉書の例もある（特許文献３）
また、くじなどにおいて、当たり・はずれの部分などを剥離可能なインクで覆い隠蔽する方式も広く採用されている（特許文献４）（特許文献５）。
【０００３】
【特許文献１】特開平３−１６２９９６号公報
【特許文献２】特開平８−１１２９８５号公報
【特許文献３】実開平６−７５７７１号公報
【特許文献４】実開平３−１０１６７６号公報
【特許文献５】実公平７−１６６６号公報
【０００４】
隠蔽葉書は、個人あての請求書、督促状、試験の合否通知などに広く用途があり、また郵便料金も、圧着ないし隠蔽の有無に関わらず、通常の葉書と同じ料金であり、経済性にすぐれているが、経時変化により、再剥離が困難となったり剥離したりするなどの問題点がある。
【考案の開示】
【考案が解決しようとする課題】
【０００５】
隠蔽葉書は、輸送中は、仮接着した状態で、隠蔽葉書の内容をみることはできないが、受取人が受け取った後は、比較的容易に仮接着を剥離し隠蔽葉書の内容をみることが可能である必要がある。しかしながら、輸送中で要求される性能と到着後要求される性能とは相矛盾し、また仮接着後時間の経過と共に、仮接着の接着強度は上昇、剥離が困難となる欠点がある。本考案者は、時間の経過と共に接着強度の上昇を抑える方法として、部分的に仮接着部分でない部分を作成することで解決可能であることを見出し本考案に到達したのである。
【課題を解決するための手段】
【０００６】
すなわち、本考案の圧着葉書は、以下の特徴を有する。
（１）  圧着葉書とするため、紙を展開した状態で印刷し、しかる後、紙を折り重ね、容易に剥離可能な如く仮接着した圧着葉書において、重ね合わせる面に、摩擦など機械的な力により剥離可能な層を局部的に設けたことを特徴とする。
（２）  （１）において、剥離可能な層に顔料、金属粉末、染料粉末などを含有させ、剥離可能な隠蔽層としたことを特徴とする。
（３）  （１）、（２）において、紙にインクで印刷し、次に剥離可能な層乃至隠蔽層を形成することを特徴とする。
（４）  （１）、（２）において、剥離可能な層に、パラフィン類が含まれていることを特徴とする。
（５）  （１）、（２）において、仮接着した圧着葉書の最上層（あて名書き面）乃至（及び）最下層（圧着葉書裏面）は他の層より小さくし剥離を容易にしたことを特徴とする。
（６）  （１）、（２）において、紙を折り重ねる枚数が２〜１０枚であることを特徴とする。
（７）  （１）、（２）において、紙を折曲げる枚数が３枚であることを特徴とする。
【０００７】
本考案の圧着葉書に使用される紙は、通常のセルロース系パルプから製造された紙が使用される。そして、圧着葉書では何枚か積層された構造であるため、薄い紙が好ましい。すなわち、３〜４枚重ねて通常の葉書の厚みとなる程度が好ましい。
紙の素材としては、セルロースが好ましい。印刷性がポリオレフィンなどよりすぐれているからである。フィルムを用いた合成紙では、折曲げが困難で、接着力が不足するため好ましくない。
【０００８】
本考案で用いる紙の印刷に使用するインクとしては、顔料と、合成高分子及びアマニ油など不飽和油脂からなる通常のインクをあげることができる。また合成高分子の代わりに紫外線硬化樹脂を用いることもできる。
【０００９】
本考案で用いる紙の仮接着に使用される仮接着剤としては、通常の状態では剥離することなく、小さな力で容易に剥離可能で、剥離した後べとつきがないことが必要である。この目的のため、粘着剤、粘着力調整剤、添加剤からなる配合品が使用される。
粘着剤としては、天然ゴム（ＮＲ）、エステル化天然ゴム、スチレンブタジエンゴム（ＳＢＲ）、クロロプレンゴム、ポリ酢酸ビニル、ポリメチルメタクリレート、ポリメチルアクリレートなどをあげることができ、またこれらの混合物をあげることができる。
粘着力調整剤は、粘着剤の粘着力調整のために使用され、針状物質、微粒子状物質が使用される。具体的には、針状物質としては、チタン酸カリウムをあげることができるし、微粒子物質としては、マイクロシリカ、合成ゼオライト、炭酸カルシウ、酸化亜鉛、タルクなどをあげることができる。そして、これら微粒子の粒径は０．５〜１０μｍ程度である。
針状物質、微粒子状物質などの粘着性調整剤が存在するため、粘着剤の粘着性は制限され、剥離後の用紙表面の粘着性がほとんど存在しないのである。
【００１０】
本考案において、粘着剤に添加物を使用できる。添加物としては、潤滑性などの向上のためポリエチレンワックス、カルナバワックス、蜜ロウなどをあげることができる。また紫外線安定剤などが使用できる。また仮接着のための仮接着剤をエマルジョンとして塗布することが好ましく、エマルジョンとするため、乳化剤が使用される。乳化剤としては、オレイン酸石ケンをあげることができる。
【００１１】
また、紙の仮接着力調整のため、仮接着剤を印刷後、仮接着剤が塗布されている面と反対側の面をシリコン化合物で処理して紙の表面にシリコン膜を形成することもできる。仮接着の際片面のみにシリコン膜が形成されていると、仮接着に使用される仮接着剤との親和力が減少し、より容易に剥離可能となるが、保管中に剥離するおそれが増大する。
【００１２】
本考案において、剥離可能な層には、結合剤と隠蔽剤を含む。結合剤としては、アクリル系樹脂、酢酸ビニル系樹脂、ゴム系樹脂、ウレタン系樹脂などあげることができる。また剥離性調整のため、パラフィンワックスなどを配合することもできる。隠蔽剤としては、アルミニューム粉末、銅粉末などの金属粉末、酸化チタン、酸化亜鉛、タルク、酸化鉄、カオリンなどの無機顔料、フタロシアニンブルーなどの有機顔料をあげることができる。
剥離可能な層の形成には、熱溶融した状態でスクリーン印刷するなどの方法を採用することが可能である。
【００１３】
剥離可能な層は、隠蔽剤を使用して、該剥離可能な層を除去しなければ、印刷した文字などを読むことができない状態であることが好ましい。内部に記載した文字をさらに保護すれば、隠蔽した文字がどのような内容が記載してあるか期待をもって剥離するからであり、輸送中に誤って仮接着が剥離した場合でもなお、内容を機密にしていて、二重安全となっているからである。
【００１４】
圧着葉書の紙を折り重ねる枚数は、２〜１０枚であり、好ましくは３枚である。多くの場合、紙は両面に印刷されるため、３枚程度で充分な情報を盛り込むことが可能であるからである。
【考案を実施するための最良の形態】
【００１５】
図１は、最上層面１が表側にくるようにした圧着葉書の展開図である。図２は、最上層面１を表側にした圧着葉書２の平面図である
Ａ、Ｂは、圧着葉書の折り目である。圧着葉書とするには、まずＢを折り目として、内容面ａ３及び内容面ｂ４を折曲げて重ね合わせる、次にＢを折り目として折曲げると、図２に示す最上層面１が表側にきた圧着葉書２が得られる。
図３は、最下層面７が表側にくるようにした圧着葉書の展開図である。図４は、最下層面７が表側にくるようにした圧着葉書２の裏面図である。
圧着葉書２とするには、まずＡを折り目として、内容面ｃ５及び内容面ｄ６を折曲げ重ね合わせ、次にＢを折り目として折曲げ重ね合わせ、第４図に示す圧着葉書２が得られる。なお、内容面ｃ５の一部には、隠蔽材としてアルミニューム、結合材として、パラフィンを用いた剥離可能な隠蔽層８が設けられている。圧着葉書２を葉書として配達後、隠蔽層８を剥離することが可能である。
【００１６】
図５は、内容面ｄ６の断面図である。紙１１の上に印刷インク１０で印刷が施され、その上に仮接着剤層１２が形成されている。図６は、隠蔽層８を設けた内容面ｃ５の断面図である。紙１１の上に印刷インク１０で印刷が施されその上に仮接着剤層１２が設けられている。なお、仮接着剤層１２の代わりに剥離を容易にするシリコン系剥離剤層とすることも可能である。図７は、内容面ｃ５と内容面ｄ６を仮接着したときの断面図である。隠蔽剤８により、仮接着剤層１２の間に未圧着空隙９が発生するため、仮接着の弱い部分が生じ剥離の際引きはがしやすくなる。
【００１７】
以上の説明によって明らかな様に、本考案による圧着葉書は、以下に列挙した如き、実用上の好ましい効果を奏する。
（ａ）  圧着葉書において、隠蔽層付近に未圧着空隙があり、仮接着面に仮接着強度の弱い部分が生じ、剥離が容易になる。
（ｂ）  圧着葉書において、隠蔽層付近の未圧着空隙がある結果、経時変化が少なく、長時間おいても剥離が困難になったり、紙と印刷インクの間で剥離して印刷内容が読むことが困難になったりするなどの事故が少ない。
（ｃ）  事故により仮接着面がはがれても、特に機密性の高い部分を保護することが可能であり、より機密性を保つことが可能である。
（ｄ）  圧着葉書を剥離後さらに隠蔽部分を剥がすために時間が必要であり、この時間の間、期待をもって開封することができ楽しみを延長することができる。
【図面の簡単な説明】
【００１８】
【図１】最上層面が表側にくるようにした圧着葉書の展開図である。
【図２】最上層面が表側にくるようにした仮接着後の圧着葉書の平面図である。
【図３】最下層面が表側にくるようにした圧着葉書の展開図である。
【図４】最下層面が表側にくるようにした仮接着後の圧着葉書の裏面図である。
【図５】内容面ｄの断面図である。
【図６】隠蔽層を設けた内容面ｃ部分の断面図である。
【図７】内容面ｃと内容面ｄを重ね合わせたときの断面図である。
【符号の説明】
【００１９】
１    最上層面
２    圧着葉書
３    内容面ａ
４    内容面ｂ
５    内容面ｃ
６    内容面ｄ
７    最下層面（圧着葉書裏面）
８    隠蔽層
９    未圧着空隙
１０  印刷インク
１１  紙
１２  仮接着剤層  
Ａ、Ｂ  折り目
【図１】
0003107793.tif 000003
【図２】
0003107793.tif 000004
【図３】
0003107793.tif 000005
【図４】
0003107793.tif 000006
【図５】
0003107793.tif 000007
【図６】
0003107793.tif 000008
【図７】
0003107793.tif 000009